(57)【要約】【課題】タッチペンにおいて、把持しやすく、把持位置が統一でき、キーボード等による入力作業をミスタッチすることなく軽快に行えるようにする。また静電気の帯電が原因となる塵埃の付着を防止できるようにする。【解決手段】把持棒部２とこの把持棒部２の先方に突設されたペン軸部３とを有しこのペン軸部３の先端に弾性材製のペン先４が設けられ、把持棒部２にはペン軸部３寄りとなる位置付けでくびれ部５が設けられ、このくびれ部５の形成に伴って中間太部６と尾方太部７とが区画されており、くびれ部５は中間太部６と尾方太部７との繋ぎ位置を谷折りの環状凹部とさせた状態で形成されている。【選択図】図１
0003130560.tif 000002
【実用新案登録請求の範囲】
【請求項１】
把持棒部（２）とこの把持棒部（２）の先方に当該把持棒部（２）より細径で突設されたペン軸部（３）とを有しこのペン軸部（３）の先端に弾性材製のペン先（４）が設けられているタッチペンにおいて、
把持棒部（２）にはペン軸部（３）寄りとなる位置付けで外径を絞って形成されたくびれ部（５）が設けられ、このくびれ部（５）の形成に伴って当該くびれ部（５）とペン軸部（３）との間に生じる中間太部（６）と当該くびれ部（５）から上記中間太部（６）とは逆向きに突出する状態で生じる尾方太部（７）とに区画されており、
上記くびれ部（５）は中間太部（６）と尾方太部（７）との繋ぎ位置を谷折りの環状凹部とさせた状態で形成されている
ことを特徴とするタッチペン。
【請求項２】
前記尾方太部（７）には、周方向を複数に区分した等配位置に対して当該尾方太部（７）の軸方向に沿って長い扁平面部（１０）が設けられていることを特徴とする請求項１記載のタッチペン。
【請求項３】
前記尾方太部（７）に設けられた複数の扁平面部（１０）はくびれ部（５）までは未到達とされることで扁平面部（１０）とくびれ部（５）との間に当該扁平面部（１０）よりも太い膨出部（１１）が形成され、この膨出部（１１）と扁平面部（１０）との境界部に段差（１２）が生じるようになっていることを特徴とする請求項２記載のタッチペン。
【請求項４】
前記尾方太部（７）に設けられた扁平面部（１０）は尾方太部（７）の周方向で合計４面形成されていることを特徴とする請求項２又は請求項３記載のタッチペン。
【請求項５】
前記尾方太部（７）に設けられた合計４面の扁平面部（１０）のうち対向する２面幅寸法（Ｗ１）は８ｍｍ以上１４ｍｍ以下に形成されていることを特徴とする請求項４記載のタッチペン。
【請求項６】
前記中間太部（６）には、周方向を複数に区分した等配位置に対して指先に対応した窪み部（１７）が設けられていることを特徴とする請求項１乃至請求項５のいずれか１項に記載のタッチペン。
【請求項７】
前記中間太部（６）に設けられた窪み部（１７）は中間太部（６）の周方向で合計４面形成されていることを特徴とする請求項６記載のタッチペン。
【請求項８】
前記把持棒部（２）における尾方太部（７）の後端（７ａ）から前記ペン軸部（３）におけるペン先（４）の先端までの長さ（Ｌ１）が１００ｍｍ以上１５０ｍｍ以下に形成されており、このうち把持棒部（２）に占める尾方太部（７）の長さ（Ｌ３）が６０ｍｍ以上９０ｍｍ以下に形成されていることを特徴とする請求項１乃至請求項７のいずれか１項に記載のタッチペン。
【請求項９】
前記把持棒部（２）における尾方太部（７）の後端（７ａ）は半球状に形成されていることを特徴とする請求項１乃至請求項８のいずれか１項に記載のタッチペン。
【請求項１０】
前記ペン先（４）を除く全ての外面が金属製被膜によって覆われていることを特徴とする請求項１乃至請求項９のいずれか１項に記載のタッチペン。
【考案の詳細な説明】
【技術分野】
【０００１】
本考案は、タッチペンに関するものである。
【背景技術】
【０００２】
各種情報機器類（コンピューター等）に装備されたキーボードやタッチパネル、プロッタ等のタブレット、場合によっては電卓や電子辞書など（以下、これらを総じて単に「キーボード等」と言う）での入力作業をするときに使用するタッチペンは公知である。この種のタッチペンは、ストレートの丸棒の先端に、先が尖った先端部が設けられていたり（例えば、特許文献１等参照）、或いはストレートの丸棒の先端に、球状の先端部（例えば、特許文献２等参照）が設けられていたりするだけの単純構造となっていた。
なお、先端部を金属製にして重量を持たせ、把持したときの安定性を図るといった工夫が試みられていた（特許文献２）。
【特許文献１】実開平４−４７７４４号公報
【特許文献２】実開昭６２−８５４９２号公報
【考案の開示】
【考案が解決しようとする課題】
【０００３】
従来のタッチペンでは、ストレートの丸棒を把持するようになっていたため、把持する位置が軸方向において特定されることがなく、把持するたびに位置が異なることになる。すなわち、把持位置から先端部までの長さがマチマチになるので、使用感も統一されず、キーボード等に対するミスタッチを招来するものとなっていた。また、ストレートの丸棒を把持することから、把持した状態で滑りが起こりやすいという不具合もあり、このことが一層、キーボード等に対するミスタッチを招来するものとなっていた。これらのことから、長時間にわたって継続することが多い入力作業に、いらだちを惹起させ、実質的に大きな支障を来すものとなっていたのである。
【０００４】
一方、従来のタッチペンは静電気を帯電することを原因として、塵埃の付着を防止することができず、塵埃が付着した状態のまま使用することでキーボード等に塵埃を付着させてしまうということがあった。殊に、ブラウン管や液晶画面などで形成されているタッチパネルに対して使用する場合、タッチパネル自体に塵埃を吸い寄せる性質があるために、この問題は大きな不具合となっていた。
本考案は、上記事情に鑑みてなされたものであって、把持しやすく、把持位置が統一でき、キーボード等による入力作業をミスタッチすることなく軽快に行えるようにしたタッチペンを提供することを目的とする。
【０００５】
また本考案は、静電気の帯電が原因となる塵埃の付着を防止できるようにして、キーボードやタッチパネル等への悪影響を防止できるようにしたタッチペンを提供することを目的とする。
【課題を解決するための手段】
【０００６】
前記目的を達成するために、本考案は次の手段を講じた。
即ち、本考案に係るタッチペンは、把持棒部とこの把持棒部の先方に当該把持棒部より細径で突設されたペン軸部とを有しこのペン軸部の先端に弾性材製のペン先が設けられているものであって、把持棒部にはペン軸部寄りとなる位置付けで外径を絞って形成されたくびれ部が設けられ、このくびれ部の形成に伴って当該くびれ部とペン軸部との間に生じる中間太部と当該くびれ部から上記中間太部とは逆向きに突出する状態で生じる尾方太部とに区画されており、上記くびれ部は中間太部と尾方太部との繋ぎ位置を谷折りの環状凹部とさせた状態で形成されている。
【０００７】
このように把持棒部は、谷折りの環状凹部として設けられるくびれ部を有した構成となっているので、このくびれ部へ指先を引っ掛けるようにして把持することができる。そのため、把持し易く、また軸方向に滑り難く、従って把持位置が統一できるようになり、キーボード等による入力作業をミスタッチすることなく軽快に行える。
尾方太部には、周方向を複数に区分した等配位置に対して、当該尾方太部の軸方向に沿って長い扁平面部を設けるのが好適である。
このようにすることで、一層、把持し易くなる。また把持棒部の周方向（回転方向）でも滑り難くなる。
【０００８】
尾方太部に設けられた複数の扁平面部は、くびれ部までは未到達とするのが好適である。このようにすることで、扁平面部とくびれ部との間に、当該扁平面部よりも太い膨出部が形成されることになり、この膨出部と扁平面部との境界部に段差が生じるようになる。
このようにすることで、一層、把持し易くなる。またこのように尾方太部に膨出部に伴う段差を生じさせているため、ここへ指先を引っ掛けるような把持の仕方も任意に選択できるようになり、個性に応じた扱い方（把持癖）に対応できる利点がある。
尾方太部に設ける扁平面部は、尾方太部の周方向で合計４面とすることができる。
【０００９】
尾方太部に設けられた合計４面の扁平面部のうち、対向する２面幅寸法は８ｍｍ以上１４ｍｍ以下に形成するのが好適である。
８ｍｍに満たない場合、或いは１４ｍｍを超えた場合は、いずれも尾方太部を把持し難く、また長時間にわたって尾方太部の把持状態を継続すると疲れや局部的違和感が出るおそれがある。
中間太部には、周方向を複数に区分した等配位置に対して、指先に対応した窪み部を設けるのが好適である。
【００１０】
このようにすることで、一層、把持し易くなる。またこのように中間太部にも窪み部を設けているため、ここへ指先を引っ掛けるような把持の仕方も任意に選択できるようになり、個性に応じた扱い方（把持癖）に対応できる利点がある。
中間太部に設ける窪み部は、中間太部の周方向で合計４面形成するのが好適である。
把持棒部における尾方太部の後端からペン軸部におけるペン先の先端までの長さは１００ｍｍ以上１５０ｍｍ以下に形成するのが好適であり、この場合、把持棒部に占める尾方太部の長さは６０ｍｍ以上９０ｍｍ以下に形成するのが好適である。
【００１１】
把持棒部における尾方太部の後端からペン軸部におけるペン先の先端までの長さとして、１００ｍｍ以上１５０ｍｍ以下の寸法とするのが、取扱上、便利である。１００ｍｍに満たない場合は手の中に入ってしまい、把持棒部の後端を支持できない状態（当て止めできない宙ぶらりの状態）になってしまうため、不安定となるおそれがある。また１５０ｍｍを超える場合は手の中に収まらずに、把持棒部の後端を支持できない状態（毛筆用の筆を持つような把持方法に特定されてしまう状態）になってしまうため、長時間の把持で疲れ易くなるおそれがある。
【００１２】
また把持棒部における尾方太部の長さとして、６０ｍｍに満たない場合、或いは９０ｍｍを超える場合は、いずれもくびれ部を指先の引っ掛けとして使い難くなる。
把持棒部における尾方太部の後端は、半球状に形成するのが好適である。
このようにすると、尾方太部の後端を掌や指の腹面に付き当てるような把持の仕方をしたときに、掌や指の腹面に対する刺激を緩和できるという利点がある。すなわち、尾方太部の後端を掌や指の腹面に付き当てるような把持の仕方が可能になるので、この点でも、個性に応じた扱い方（把持癖）に対応できる利点がある。
【００１３】
ペン先を除く全ての外面を金属製被膜によって覆うようにするのが好適である。
このようにすることで、静電気の帯電が生じにくくなるから、静電気が原因となる塵埃の付着を防止できるようになり、もってキーボードやタッチパネル等への悪影響を防止できる利点がある。また、クリーンルームなどでの使用にも対応できるようになる。
なお、ペン先を除く全てを金属製とすることで静電気への対策としてもよいが、このようにするとタッチペン全体として重くなり、取り扱いに不便となるおそれもある。そのため、ペン先を除く全てをアルミ等の軽量金属製とすることも考えられるが、製作上の加工コストや材料コストの面などをも考慮すると、樹脂製としたうえで金属製被膜で覆うようにするのが好適となるのである。
【考案の効果】
【００１４】
本考案に係るタッチペンでは、把持しやすく、把持位置が統一でき、キーボード等による入力作業をミスタッチすることなく軽快に行えるようになる。
また本考案に係るタッチペンでは、静電気の帯電が原因となる塵埃の付着を防止できるので、キーボードやタッチパネル等への悪影響を防止できる。
【考案を実施するための最良の形態】
【００１５】
以下、本考案の実施の形態を、図面に基づき説明する。
図１乃至図６は本考案に係るタッチペン１の一実施形態を示しており、図７及び図８はその使用例である。このタッチペン１は、把持棒部２と、この把持棒部２の先方に突設されたペン軸部３とを有しており、このペン軸部３の先端にペン先４が設けられている。ペン先４を除く他の部分はポリカーボネートやＰＰ、ＡＢＳ等の適宜樹脂により形成されている。またペン先４を除く全ての外面は、金属蒸着やめっき等により金属製被膜によって覆われている。
【００１６】
ペン軸部３は把持棒部２より細径で形成されている。またペン先４は、シリコン、ウレタン、ゴムなどの弾性材により形成されており、力に対する緩衝効果や擦過に対する傷防止効果が豊富となっているため、小型のキーや液晶パネルなどを押圧しても故障や傷付きを防止できるようになっている。ペン先４は、キャップ状に形成されたものとしてペン軸部３の先端に被せるようにしてもよいし、小さなチップ状に形成されたものとしてペン軸部３の先端に接着等させるようにしてもよい。
図７や図８から明かなように、把持棒部２はこのタッチペン１を把持する部分であって、片手で掴むのに好適な太さと長さを有して形成されている。この把持棒部２には、その長手方向の中間部にくびれ部５が設けられており、このくびれ部５の形成に伴って中間太部６と尾方太部７とに区画されている。
【００１７】
このくびれ部５の位置付けはペン軸部３寄りとされており、中間太部６は、くびれ部５とペン軸部３との間に生じており、尾方太部７は、くびれ部５から上記中間太部６とは逆向きに突出する状態で生じている。
くびれ部５は、把持棒部２としての外径を絞るようになったもので、中間太部６と尾方太部７との繋ぎ位置を谷折りの環状凹部とさせた状態で形成されている。
尾方太部７には、周方向を複数に区分した等配位置に対して、当該尾方太部７の軸方向に沿って長い扁平面部１０が設けられている。本実施形態において扁平面部１０は、尾方太部７の周方向で合計４面（即ち、９０°ごとの等配位置）とされている。
【００１８】
各扁平面部１０は、尾方太部７の軸方向に沿って形成されているが、くびれ部５までは未到達（到達していない）の状態となっている。これに伴い、尾方太部７とくびれ部５との間に膨出部１１が形成されるようになっている。そのため、この膨出部１１と扁平面部１０との境界部には段差１２が生じている。
扁平面部１０のうち、対向する２面幅の寸法Ｗ１は、８ｍｍ以上１４ｍｍ以下に形成されている。Ｗ１が８ｍｍに満たない場合、或いは１４ｍｍを超えた場合は、いずれも尾方太部７を把持し難く、また長時間にわたって把持状態を継続すると疲れや局部的違和感が出るおそれがある。
【００１９】
尾方太部７の後端７ａは半球状に形成されている。尾方太部７の後端７ａには、ストラップなどを差し通すのに利用可能な貫通孔１５が設けられている。
中間太部６には、周方向を複数に区分した等配位置に対して、指先に対応した窪み部１７が設けられている。図例の窪み部１７は涙滴形を呈してものとしているが、これに限定されるものではない。
窪み部１７は、中間太部６の周方向で合計４面（即ち、９０°ごとの等配位置）に形成されている。窪み部１７のうち、対向する２面幅の寸法Ｗ２は、６ｍｍ以上１０ｍｍ以下程度に形成するのが好適とされている。
【００２０】
タッチペン１としての全長（把持棒部２における尾方太部７の後端からペン軸部３におけるペン先４の先端までの長さ）Ｌ１は１００ｍｍ以上１５０ｍｍ以下に形成されている。Ｌ１を１００ｍｍ以上１５０ｍｍ以下の寸法とするのが、取扱上、便利である。
Ｌ１が１００ｍｍに満たない場合は把持棒部２が手の中に入ってしまい、把持棒部２の後端を支持できない状態（当て止めできない中途半端な状態）になってしまうため、不安定となるおそれがある。またＬ１が１５０ｍｍを超える場合は把持棒部２が手の中に収まらずに、把持棒部２の後端を支持できない状態（毛筆用の筆を持つような把持方法に特定されてしまう状態）になってしまうため、長時間の把持で疲れ易くなるおそれがある。
【００２１】
また、尾方太部７の長さＬ３は６０ｍｍ以上９０ｍｍ以下に形成されている。Ｌ３が６０ｍｍに満たない場合、或いは９０ｍｍを超える場合は、いずれもくびれ部５を指先の引っ掛けとして使い難くなる。
本実施形態において、タッチペン１としての全長Ｌ１は１３４ｍｍ、把持棒部２の全長（中間太部６と尾方太部７を合わせた長さ）Ｌ２は１００ｍｍ、尾方太部７の長さＬ３は７４ｍｍ、中間太部６の長さＬ４は２６ｍｍとした。また、尾方太部７における扁平面部１０の対向２面幅Ｗ１は１０ｍｍ、中間太部６における窪み部１７の対向２面幅Ｗ２は７．５ｍｍとした。
【００２２】
以上、詳説したように、本考案に係るタッチペン１では、把持棒部２に対して谷折り状の環状凹部として設けられたくびれ部５を有しているので、図７に示すように、このくびれ部５へ指先を引っ掛けるようにして把持することができる。
そのため、把持し易く、また軸方向に滑り難く、従って把持位置が統一できるようになり、キーボード等による入力作業をミスタッチすることなく軽快に行える。
図７の把持状態から、指先を少し先方へ延ばすと、指先を中間太部６の窪み部１７へ引っ掛けることができ、個性に応じた扱い方（把持癖）に対応できる利点がある。この場合、把持棒部の周方向（回転方向）でも滑り難くできる利点がある。
【００２３】
一方、尾方太部７には扁平面部１０や、膨出部１１に伴う段差１２を生じさせているため、図８に示すように、これら扁平面部１０や段差１２へ指先を引っ掛けるような把持の仕方も任意に選択できるようになり、個性に応じた扱い方（把持癖）に対応できる利点がある。この場合も、軸方向及び把持棒部の周方向（回転方向）で滑り難くできる利点がある。
尾方太部７の後端７ａを半球状に形成することで、図７や図８に示すように、尾方太部７の後端７ａを掌や指の腹面に付き当てるような把持の仕方をしたときに、掌や指の腹面に対する刺激を緩和できるという利点がある。すなわち、尾方太部７の後端を掌や指の腹面に付き当てるような把持の仕方が可能になるので、この点でも、個性に応じた扱い方（把持癖）に対応できる利点がある。
【００２４】
ペン先４を除く全ての外面が金属製被膜によって覆われているので、静電気の帯電が生じにくくなり、静電気が原因となる塵埃の付着を防止できるようになる。そのため、キーボードやタッチパネル等への悪影響を防止できる利点がある他、クリーンルームなどでの使用にも対応できるようになる。
ところで、本考案は、上記実施形態に限定されるものではなく、実施の形態に応じて適宜変更可能である。
【図面の簡単な説明】
【００２５】
【図１】本考案に係るタッチペンの一実施形態を示した側面図である。
【図２】図１のＣ−Ｃ線断面図である。
【図３】図１のＤ−Ｄ線矢視図である。
【図４】図１のＥ−Ｅ線矢視図である。
【図５】図１のＡ−Ａ線断面図である。
【図６】図１のＢ−Ｂ線断面図である。
【図７】図１のタッチペンにおける第１の使用例を示した図である。
【図８】図１のタッチペンにおける第２の使用例を示した図である。
【符号の説明】
【００２６】
１  タッチペン
２  把持棒部
３  ペン軸部
４  ペン先
５  くびれ部
６  中間太部
７  尾方太部
７ａ  後端
１０  扁平面部
１１  膨出部
１２  段差
１７  窪み部
【図１】
0003130560.tif 000003
【図２】
0003130560.tif 000004
【図３】
0003130560.tif 000005
【図４】
0003130560.tif 000006
【図５】
0003130560.tif 000007
【図６】
0003130560.tif 000008
【図７】
0003130560.tif 000009
【図８】
0003130560.tif 000010